(57)【特許請求の範囲】
【請求項１】
プロテクター本体（１）の上方突出片（１ａ）に上端（２ａ）が取着されると共に斜めに配設されて該プロテクター本体（１）の腹部側縁（１ｂ）に下端（２ｂ）が取着され、該プロテクター本体（１）の背面（１ｃ）にてＸ字状に交差する２本のベルト部材（２）（２）を備え、さらに、上記Ｘ字状に交差するベルト交差部（２Ａ）を包囲して該ベルト交差部（２Ａ）の上下位置を調整自在に保持する摩擦保持片（３）を備え、
上記摩擦保持片（３）は、上記ベルト部材（２）が挿入される差込スリット（３ａ）の口幅寸法（Ｗ2 ）を上記ベルト部材（２）の幅寸法（Ｗ1 ）よりも小さく設定していることを特徴とするプロテクター。
【請求項２】
プロテクター本体（１）の上方突出片（１ａ）に上端（２ａ）が取着されると共に斜めに配設されて該プロテクター本体（１）の腹部側縁（１ｂ）に下端（２ｂ）が取着され、該プロテクター本体（１）の背面（１ｃ）にてＸ字状に交差する２本のベルト部材（２）（２）を備え、さらに、上記Ｘ字状に交差するベルト交差部（２Ａ）を包囲して該ベルト交差部（２Ａ）の上下位置を調整自在に保持する摩擦保持片（３）を備え、
上記摩擦保持片（３）は、背面視略四角形であり、各辺には上記ベルト部材（２）が挿入される差込スリット（３ａ）が形成されるように、表裏２枚の略四角形片（30）（30）を各角部領域（30ｃ）にて相互に積層一体化され、上記ベルト交差部（２Ａ）を表裏から挟持するように構成され、
上記摩擦保持片（３）は、上記ベルト部材（２）が挿入される上記差込スリット（３ａ）の口幅寸法（Ｗ2 ）を上記ベルト部材（２）の幅寸法（Ｗ1 ）よりも小さく設定していることを特徴とするプロテクター。
【請求項３】
上記ベルト部材（２）は、ゴムバンドから成る請求項１又は２記載のプロテクター。
【請求項４】
上記略四角形片（30）は、上記ベルト交差部（２Ａ）の上記ベルト部材（２）との摩擦力を付与するバックスキン面（30ｂ）を有する皮革から成る請求項１，２又は３記載のプロテクター。
【発明の詳細な説明】
【技術分野】
【０００１】
本発明は、プロテクターに関する。
【背景技術】
【０００２】
従来、野球やソフトボール等の球技で、捕手や審判が使用する腹部、胸部及び肩部を保護するプロテクターは、特許文献１記載のように、Ｙ字状の肩ベルト部材と一文字状の腰ベルト部材を連結した装着ベルトを備え、Ｙ字状のベルト部材を長さを調節して両肩に吊り下げて装着すると共に、一文字状の腰ベルト部材を腰部に巻設して装着するものがあった。    
【特許文献１】登録実用新案第３０７０２４０号公報
【発明の開示】
【発明が解決しようとする課題】
【０００３】
ところが、Ｙ字状の肩ベルト部材を長さ調節すると、腰ベルト部材が上方に引き上げられたり、垂れ下がったりして、腰ベルト部材を適切な位置に調節するのが困難であった。つまり、肩ベルト部材と腰ベルト部材を相互に調節する必要があった。また、使用者の両肩と腰との両方で、使用者にとって違和感を感じさせない位置に調節することは困難であった。また、腰ベルト部材によって、装着後の動作の際に、屈曲運動の激しい腰部で圧迫感や擦れるような摩擦感を感じ動作（プレー）の妨げになるという問題があった。
【０００４】
本発明は、装着の際に使用者への違和感を軽減すると共に、ベルト部材を適切な装着位置に容易かつ迅速に調節可能なプロテクターの提供を目的とする。
【課題を解決するための手段】
【０００５】
そこで、本発明のプロテクターは、プロテクター本体の上方突出片に上端が取着されると共に斜めに配設されて該プロテクター本体の腹部側縁に下端が取着され、該プロテクター本体の背面にてＸ字状に交差する２本のベルト部材を備え、さらに、上記Ｘ字状に交差するベルト交差部を包囲して該ベルト交差部の上下位置を調整自在に保持する摩擦保持片を備え、上記摩擦保持片は、上記ベルト部材が挿入される差込スリットの口幅寸法を上記ベルト部材の幅寸法よりも小さく設定しているものである。
【０００６】
また、本発明のプロテクターは、プロテクター本体の上方突出片に上端が取着されると共に斜めに配設されて該プロテクター本体の腹部側縁に下端が取着され、該プロテクター本体の背面にてＸ字状に交差する２本のベルト部材を備え、さらに、上記Ｘ字状に交差するベルト交差部を包囲して該ベルト交差部の上下位置を調整自在に保持する摩擦保持片を備え、上記摩擦保持片は、背面視略四角形であり、各辺には上記ベルト部材が挿入される差込スリットが形成されるように、表裏２枚の略四角形片を各角部領域にて相互に積層一体化され、上記ベルト交差部を表裏から挟持するように構成され、上記摩擦保持片は、上記ベルト部材が挿入される上記差込スリットの口幅寸法を上記ベルト部材の幅寸法よりも小さく設定しているものである。
【０００７】
また、上記ベルト部材は、ゴムバンドから成るものである。
【０００８】
また、上記略四角形片は、上記ベルト交差部の上記ベルト部材との摩擦力を付与するバックスキン面を有する皮革から成るものである。
【発明の効果】
【０００９】
本発明のプロテクターによれば、使用者が自由にベルト交差部を上下に調整できる。つまり、使用者の体格に合わせて適切な位置で装着でき、使用者を保護することができる。また、使用者の体格に合わせることで、使用者が望む装着感（適切なフィット感）を得ることができる。装着した際の違和感を軽減できる。
【発明を実施するための最良の形態】
【００１０】
以下、実施の形態を示す図面に基づき本発明を詳説する。
図１は本発明のプロテクターの実施の一形態を示す背面図である。図２は図１の要部拡大図である。図３は図２の要部斜視図である。また、図４は図２のＸ−Ｘ断面図である。図５は図２のＹ−Ｙ断面図である。
【００１１】
図１において、本発明のプロテクターは、野球やソフトボール等の球技で捕手や審判等をおこなう使用者を、球や接触プレー等から保護するものであって、人体の腹部と胸部及び鎖骨や肩部近傍を保護するように覆うプロテクター本体１（以下、本体１ともいう）と、本体１の背面１ｃにてＸ字状に交差するように配設された２本のベルト部材２，２と、本体１の側方に肩部を保護するように揺動自在に取着されるカップ状の肩パット部材４と、本体１に縫着され装着の際に人体の首元への圧迫を緩和させる柔軟部材５と、を備えている。
【００１２】
プロテクター本体１（本体１）は、人体に装着した状態（使用状態）で、人体の腹部と胸部を保護するように覆う前面保護部から突出舌片状に形成され、人体の肩部及び鎖骨部近傍を保護するように覆う左右一対の上方突出片１ａ，１ａ、を有している。
また、本体１は、一枚板状に縫製されている。図示省略するが、内部に、衝撃を吸収・緩和可能な本体用緩衝部材を複数配設し、本体用緩和部材の周囲を縫製している。本体１の正面側は、本体用緩衝部材によって前方からの衝撃を吸収・緩和する複数の凸部が形成されている。また、本体１の背面１ｃ側は、本体用緩衝部材によって人体への圧迫を吸収緩和する複数の凸部が形成されている。つまり、本体１の正面及び背面１ｃは、凹凸状に形成されている。
なお、正面とは、球や他の選手等の外部からの衝撃を受ける面である。背面１ｃとは、装着の際に、人体に接触乃至近接する側の面である。
【００１３】
また、本体１の、上方突出片１ａ，１ａの正面側の左右外方側の側縁（側方）には、人体に接近する側を凹状に形成すると共に外部からの接触側を凸球状に形成したカップ状の肩パット部材４，４を蝶番状に揺動自在に縫着している。また、本体１には、装着状態で人体の首元及び襟元への圧迫を緩和させる柔軟部材５を、背面１ｃ側に縫着している。
【００１４】
次に、ベルト部材２は、長手方向及び幅方向に伸縮自在な帯状のゴムバンドから成るものである。上端２ａを、本体１の上方突出片１ａの正面側の先端に樹脂製の肩用バックル部材23を介して長さ調節自在かつ揺動自在に取着されている。さらに、ベルト部材２は、本体１の背面１ｃにてタスキ状に斜めに配設され、下端２ｂを、本体１の腹部側縁１ｂに樹脂製の雌雄バックル部材24を介して長さ調節自在かつ揺動自在に取着されている。雌雄バックル部材24は、雄部と雌部を有し、雄部と雌部で合体・分離可能なものである。即ち、ベルト部材２の下端２ｂは、本体１の腹部側縁１ｂ近傍で、着脱自在に取着されている。
【００１５】
言い換えると、２本のベルト部材２の内の一本は、左右一対の一方の上方突出片１ａの先端に上端２ａが取着されると共に一方の上方突出片１ａから略対角位置の本体１の腹部側縁１ｂに下端２ｂが取着されている。残りの一本を、他方の上方突出片１ａの先端に上端２ａを取着されると共に他方の上方突出片１ａから略対角位置の本体１の腹部側縁１ｂに下端２ｂが取着されている。そして、本体１の背面１ｃにてＸ字状に交差するベルト交差部２Ａを形成している。即ち、２本のベルト部材２，２は、本体１の背面１ｃにてＸ字状に配設されている。また、２本のベルト部材２，２はベルト交差部２Ａで一体化（接着や縫着等）していない。
【００１６】
また、２本のベルト部材２，２には、Ｘ字状に交差するベルト交差部２Ａを包囲する背面視略四角形の摩擦保持片３が、ベルト部材２に沿ってスライド自在に取着されている。
摩擦保持片３は、ベルト交差部２Ａの上下及び左右位置を調整自在に保持可能なものである。
【００１７】
図１〜図５において、摩擦保持片３は、略四角形状であって、表裏２枚の略四角形片30，30を重ね合わせ積層状に一体化したものである。略四角形片30は、ベルト部材２との摩擦力を付与するバックスキン面30ｂを有する皮革から成るものである。また、摩擦保持片３は、略菱形の形状の角部を面取りした多角形状とも言える。表とは、本体１の背面１ｃに対面する面であると共に装着の際に使用者の背部に接触する面である。裏面はその反対側の面である。
【００１８】
２枚の略四角形片30，30は、バックスキン面30ｂを対面状にしてベルト交差部２Ａを挟むように重ね合わせている。２本のベルト部材２，２のベルト交差部２Ａを、表裏から挟持している。ベルト交差部２Ａを、内装している。
【００１９】
２枚の略四角形片30，30は、各角部領域30ｃ（図２の一点鎖線で示す領域）を接着し、相互に積層一体化されている。各角部領域30ｃを一体化することで、摩擦保持片３の各辺（四辺）にベルト部材２が挿入される差込スリット３ａと、摩擦保持片３の内部中央にベルト部材２が挿通する空間部３ｂと、を形成している。
【００２０】
差込スリット３ａは、摩擦保持片３の各四辺の中間部（角部領域30ｃを除く辺部）に形成されている。差込スリット３ａの口幅寸法Ｗ2 は、ベルト部材２の自然状態での幅寸法Ｗ1 よりも小さく設定している。各辺の差込スリット３ａには、ベルト部材２が挿入されている。差込スリット３ａは、ベルト部材２幅寸法Ｗ1 を、差込スリット３ａ近傍で、差込スリット３ａの口幅寸法Ｗ2 に近づくようにくびれさせている。
【００２１】
空間部３ｂは、摩擦保持片３の内部中央に形成されている。差込スリット３ａは摩擦保持片３の内部で空間部３ｂに連通している。言い換えると、この空間部３ｂの出入り口（開口部）が差込スリット３ａである。この空間部３ｂで、２本のベルト部材２，２はＸ字状に交差してベルト交差部２Ａを形成している。空間部３ｂは、２本のベルト部材２，２をＸ字状に挿通させる略Ｘ字状の通路を有している。言い換えると、一方のスリット３ａからベルト部材２が差し込まれ、摩擦保持片３の内部を挿通し、対辺に形成された他方のスリット３ａからベルト部材２を突出させているとも言える。摩擦保持片３は、２本のベルト部材２，２を挿通可能かつ内部でＸ字状に交差可能に形成されているとも言える。
【００２２】
また、摩擦保持片３は、２本のベルト部材２，２とを一体化しない（接着や縫着しない）ことで、空間部３ｂに２本のベルト部材２，２を挿通させ、ベルト部材２に沿って摩擦部材３が摺動（スライド）可能としている。
また、ベルト部材２が摩擦保持片３の内部でバックスキン面30ｂに適度に面接触して付与する摩擦力と、スリット３ａ近傍でベルト部材２をくびれさせる力の一部から成る摩擦力と、を利用して、摩擦保持片３がベルト部材２に沿ってスライド自在としながらも、自然状態では、ベルト部材２に沿って不用意に滑らないよう停止状態保持可能にしている。
【００２３】
上述した本発明のプロテクターの実施の一形態の使用方法（作用）について説明する。
本体１の背面１ｃにある摩擦保持片３を使用者が手で動かすと、摩擦保持片３は、ベルト部材２に沿って移動する。摩擦保持片３の移動に伴って、ベルト部材２の上端２ａ及び下端２ｂは揺動すると共にベルト交差部２Ａが移動する。摩擦保持片３を手から離すと、摩擦保持片３は、手が離された位置で停止する。ベルト交差部２Ａは移動した位置に形成される。
【００２４】
摩擦保持片３が移動する際、摩擦保持片３は、各差込スリット３ａ近傍で、ベルト部材２を絞るように収縮させながら（くびれを形成させながら）ベルト部材２にガイドされるようにスムーズに摺動する。２本のベルト部材２，２は各々の上端２ａと下端２ｂが揺動する。摩擦保持片３が移動することでベルト交差部２ＡはＸ字状に保持されながら移動する。摩擦保持片３は、移動によって、ベルト交差部２Ａの位置を自在に調節する。
【００２５】
停止状態では、差込スリット３ａがベルト部材２を幅方向に狭くさせる力の一部が摩擦力となって、移動した位置（所望の位置）で摩擦保持片３が停まる（保持される）ことを可能にする。
また、ゴムバンド製のベルト部材２は、差込スリット３ａの口幅寸法Ｗ2 に近いくびれた状態から自然状態の幅寸法Ｗ1 に弾性力により戻ろうとする。この弾性力（復元力）がスリット３ａを押し広げようとし、摩擦保持片３への摩擦力となって、移動した位置（所望の位置）で摩擦保持片３が停まることを可能にする。
【００２６】
また、摩擦保持片３の内部で、バックスキン面30ｂによって、ベルト部材２に摩擦力が適度に付与される。バックスキン面30ｂとベルト部材２との摩擦力によって、移動した位置（所望の位置）で摩擦保持片３が停まることを可能にする。
【００２７】
よって、摩擦保持片３は、ベルト交差部２Ａを保持（挟持）し、本体１の背面１ｃにてベルト部材２に沿って自由に移動する。Ｘ字状に交差するベルト交差部２Ａの上下左右位置を調整自在にする。そして、使用者の所望の位置にて停まり、ベルト交差部２Ａを使用者の所望の位置に形成する。
【００２８】
例えば、本発明のプロテクターを装着する前に２本のベルト部材２，２の長さを均等に調節した際や、長さ調節可能なバックル部材が設けられていない際は、ベルト交差部２Ａは、装着前状態で本体１の背面１ｃの略中央に配設されるが、実際に使用者が装着すると、使用者の体格（身長や肩幅、体型）の個人差によって、本体１を使用者に密着させるのに適した位置にはならない。そこで、摩擦保持片３を上下に移動させる。ベルト交差部２Ａは、体格にあった所望の位置に形成される（配設される）。即ち、図１に示す一点鎖線の摩擦保持片３のように、背面１ｃの中央位置からやや上方位置や下方位置等、使用者の背骨に沿うように自由に移動して、ベルト交差部２Ａを使用者の体格に合った、フィット感が得られる所望の位置に配設（形成）する。
【００２９】
また、本発明のプロテクターを装着する際にベルト部材２の長さを調節する際は、使用者は、２本のベルト部材２の各下端２ｂに取着されている左右の各雌雄バックル部材24を雄部と雌部で離脱させる。本体１からベルト部材２の下端２ｂは取り外される。Ｘ字状の上方側の二股部に使用者の頭部を通し、雌雄バックル部材24の雄部と雌部を再び合体させる。本発明のプロテクターは人体（使用者）に仮装着される。
【００３０】
仮装着状態で、左右の肩用バックル部材23，23及び左右の雌雄バックル部材24，24でベルト部材２の長さが調節される。本体１が人体の胸部と腹部や肩部近傍を覆う。使用者を確実にボールや接触プレーから保護する為に、本体１を使用者に密着させるには、２本のベルト部材２，２のベルト交差部２Ａが使用者の背部の中央部（又は、使用者の体格に合った所望の位置）に配設されるのが望ましいが、２本ベルトを左右上下均等に長さ調節することは、困難であるため、２本のベルト部材２，２のベルト交差部２Ａは、使用者の背部の右上方位置や左下方位置、あるいは、側方に片寄った位置等、背部の中央から離れた位置に配設されている。
【００３１】
ここで、摩擦保持片３を移動させる。すると、摩擦保持片３によってベルト交差部２Ａ
は、上下や左右に移動され、使用者の背部の中央位置（又は所望の位置）に配設される。つまり、両肩部の肩用バックル部材23，23や左右の雌雄バックル部材24，24でベルト部材２を均等に長さに調節せずとも、ベルト交差部２Ａが背部の中央（又は所望の位置）に配設される。つまり、長さ調節後に、摩擦保持片３を移動させれば、ベルト交差部２Ａは適切な位置（所望の位置）に配設（形成）される。
【００３２】
仮に、摩擦保持片３がなければ、左右の肩用バックル部材23，23で２本のベルト部材２を短く調整すると、ベルト交差部２Ａは、使用者の背部の上方となり、単に、本体１が首掛け状に装着され、使用者を保護できない。また、一方の肩用バックル部材23や一方の雌雄バックル部材24でベルト部材２を短く調節し過ぎると、交差部２Ａが背部の一方（の側方）に寄ってしまい、装着状態で他方（交差部２Ａが寄った反対側）が使用者に密着せず保護するのは困難となる。
【００３３】
本発明のプロテクターは設計変更可能であって、表裏２枚の略四角片30，3 を各角部領域30ｃにて相互に一体化する際に、接着に限らず、縫着や融着等で一体化しても良い。また、本体用緩衝部材の形状や配列は自由である。また、ベルト部材２の材質はゴムバンドに限らず布や樹脂製の帯状部材でも良い。また、本発明に於て、「皮革」とは、天然皮革の他に、人工皮革や合成皮革を含むものである。また、皮革以外に編目の粗い生地とするも好ましい。
【００３４】
以上のように、本発明は、プロテクター本体１の上方突出片１ａに上端２ａが取着されると共に斜めに配設されてプロテクター本体１の腹部側縁１ｂに下端２ｂが取着され、プロテクター本体１の背面１ｃにてＸ字状に交差する２本のベルト部材２，２を備え、さらに、Ｘ字状に交差するベルト交差部２Ａを包囲してベルト交差部２Ａの上下位置を調整自在に保持する摩擦保持片３を備えたので、ベルト交差部２Ａを移動させて、本体１を使用者に確実に密着させて、ボールや接触プレーから保護することができる。摩擦保持片３を移動させることで、使用者の所望の位置にベルト交差部２Ａを配設でき、使用者に不快な圧迫感等の違和感を軽減できる。体格に合わせたフィット感（装着感）を得ることができる。ベルト部材２の長さ調節を正確（左右上下方向均等）にしなくてとも、摩擦保持片３によって容易かつ迅速にベルト交差部２Ａを背部の中央部等適切な（所望の）位置に配設できる。また、ベルト交差部２Ａを密着力が強くなる所望の位置に配設することで、従来のプロテクターのように腰部に巻設する腰ベルト部材を省略できる。つまり、使用者の腰部近傍で腰ベルトが擦れるような違和感を軽減できる。使用者が、腰部をひねるような動作を容易にできる。
【００３５】
また、摩擦保持片３は、背面視略四角形であり、各辺にはベルト部材２が挿入される差込スリット３ａが形成されるように、表裏２枚の略四角形片30，30を各角部領域30ｃにて相互に積層一体化され、ベルト交差部２Ａを表裏から挟持するように構成されているので、摩擦保持片３をその内面と２本のベルト部材２，２との摩擦抵抗力で所望の位置に保持できる。摩擦保持片３を軽量かつ薄くできる。つまり、摩擦保持片３を、使用者に違和感を与えることなくベルト部材２に付設できる。摩擦保持片３の内部でベルト交差部２ＡをＸ字状に保持できる。
【００３６】
また、摩擦保持片３は、ベルト部材２が挿入される差込スリット３ａの口幅寸法Ｗ2 を上記ベルト部材２の幅寸法Ｗ1 よりも小さく設定しているので、ベルト部材２が摩擦保持片３の差込スリット３ａ内面に強く圧接して、確実に所望の位置で摩擦保持片３を停止できる。つまり、ベルト交差部２Ａを確実に所望の位置で強い摩擦抵抗力によって保持できる。不容易に自然状態で摩擦保持片３がベルト部材２に沿うようにスライドするのを防止する。
【００３７】
また、ベルト部材２は、ゴムバンドから成るので、差込スリット３ａ近傍で弾性的に幅方向に短縮変形することによって、差込スリット３ａ近傍に弾発的に強く圧接して、大きな摩擦力（保持力）となって、確実にベルト交差部２Ａを上下所望の位置で保持（停止）できる。
【００３８】
また、略四角形片30は、ベルト交差部２Ａのベルト部材２との摩擦力を付与するバックスキン面30ｂを有する皮革から成るので、２本のベルト部材２，２が挿通する摩擦保持片３の内部で、ベルト部材２と略四角形片30との相互の摩擦力（抵抗力）を高め、確実にベルト交差部２Ａを所望の位置で保持できる。
【図面の簡単な説明】
【００３９】
【図１】本発明のプロテクターの実施の一形態を示す背面図である。
【図２】実施の一形態の要部拡大背面図である。
【図３】実施の一形態の要部拡大斜視図である。
【図４】図２のＸ−Ｘ断面図である。
【図５】図２のＹーＹ断面図である。
【符号の説明】
【００４０】
１  プロテクター本体
１ａ  上方突出片
１ｂ  腹部側縁
１ｃ  背面
２  ベルト部材
２Ａ  ベルト交差部
２ａ  上端
２ｂ  下端
３  摩擦保持片
３ａ  差込スリット
30  略四角形片
30ｂ  バックスキン面
30ｃ  角部領域
Ｗ1   幅寸法
Ｗ2   口幅寸法
【図１】
0004778977.tif 000002
【図２】
0004778977.tif 000003
【図３】
0004778977.tif 000004
【図４】
0004778977.tif 000005
【図５】
0004778977.tif 000006